【手続補正書】
【提出日】平成30年9月10日(2018.9.10)
【手続補正１】
【補正対象書類名】特許請求の範囲
【補正対象項目名】全文
【補正方法】変更
【補正の内容】
【特許請求の範囲】
【請求項１】
点滴調整器において、
第１の室と、
前記第１の室に流体的に結合された入口逆止弁と、
前記第１の室に流体的に結合された第１の出口逆止弁と、
第２の室と、
前記第２の室に流体的に結合された第２の出口逆止弁と、
前記第２の室に流体的に結合された流量制限器と、
前記第１の室と前記第２の室とを分離するピストンと、
前記ピストンを付勢するように前記第２の室内に前記ピストンに対して配置されたばねと
を備えることを特徴とする点滴調整器。
【請求項２】
請求項１に記載の点滴調整器において、前記第１の室、前記第２の室、前記第１の出口逆止弁、前記第２の出口逆止弁、前記ピストン、および前記ばねが、ハウジング内に配置され、前記ハウジングが、本体と、前記本体に結合された頭部とで構成されることを特徴とする点滴調整器。
【請求項３】
請求項１に記載の点滴調整器において、前記第１の出口逆止弁が前記第２の出口逆止弁に流体的に結合されることを特徴とする点滴調整器。
【請求項４】
請求項１に記載の点滴調整器において、前記第１の出口逆止弁が、前記第１の室内の陰圧により閉鎖されるように構成されたダイヤフラム弁であることを特徴とする点滴調整器。
【請求項５】
請求項１に記載の点滴調整器において、前記入口逆止弁が前記第１の室内の陰圧により開放されるように構成されることを特徴とする点滴調整器。
【請求項６】
請求項１に記載の点滴調整器において、前記ピストンが、前記第１の室と前記第２の室との間の圧力差により変位させられるように構成されることを特徴とする点滴調整器。
【請求項７】
請求項１に記載の点滴調整器において、前記流量制限器がニードル弁であることを特徴とする点滴調整器。
【請求項８】
請求項１に記載の点滴調整器において、前記流量制限器が、疎水性フィルタと、前記疎水性フィルタを前記第２の室に流体的に結合する通気口とを備えることを特徴とする点滴調整器。
【請求項９】
請求項１に記載の点滴調整器において、前記ピストンが、基部と保持具との間に配置されたシールを備えることを特徴とする点滴調整器。
【請求項１０】
請求項１に記載の点滴調整器において、
前記第２の出口逆止弁に流体的に結合された陰圧ポートを更に備え、
前記第２の出口逆止弁が、前記第２の室に流体的に結合されるとともに、前記陰圧ポートに送達される陰圧により開放されるように構成されることを特徴とする点滴調整器。
【請求項１１】
請求項１に記載の点滴調整器において、
前記入口逆止弁と前記第１の室とに流体的に結合された入口ポートと、
前記第１の出口逆止弁に流体的に結合された出口ポートと
を更に備えることを特徴とする点滴調整器。
【請求項１２】
請求項１に記載の点滴調整器において、
本体と、
前記ピストンを取り囲むように前記本体に結合された頭部と、
出口ポートと、
前記出口ポートを前記第２の室に流体的に結合する、前記本体を通る流路と
を更に備えることを特徴とする点滴調整器。
【請求項１３】
組織部位を治療するためのシステムにおいて、
前記組織部位に配置するためのドレッシングと、
前記ドレッシングに流体的に結合された陰圧源であって、陰圧期および通気期のために構成される前記陰圧源と、
溶液源と
前記溶液源と前記ドレッシングとに流体的に結合された点滴調整器であって、前記陰圧期に前記溶液源から溶液を引き出すとともに前記通気期に前記ドレッシングに前記溶液を点滴するように構成される前記点滴調整器と
を備えることを特徴とするシステム。
【請求項１４】
請求項１３に記載のシステムにおいて、前記点滴調整器が、
空洞を備えるハウジングと、
前記空洞を第１の室と第２の室とに仕切るピストンと、
前記第１の室に流体的に結合された入口逆止弁と、
前記第１の室に流体的に結合された第１の出口逆止弁と、
前記第２の室に流体的に結合された第２の出口逆止弁と
を備えることを特徴とするシステム。
【請求項１５】
請求項１３に記載のシステムにおいて、前記陰圧源と前記ドレッシングとに流体的に結合された圧力調整器を更に備えることを特徴とするシステム。
【請求項１６】
請求項１３に記載のシステムにおいて、前記陰圧源と前記ドレッシングとに流体的に結合されるとともに流体を収集するように構成された容器を更に備えることを特徴とするシステム。
【請求項１７】
請求項１３に記載のシステムにおいて、前記点滴調整器と前記陰圧源を前記ドレッシングに流体的に接続するように構成された接続インターフェースを更に備えることを特徴とするシステム。
【請求項１８】
請求項１７に記載のシステムにおいて、前記接続インターフェースが複数ポートのエルボコネクタであることを特徴とするシステム。
【請求項１９】
請求項１３に記載のシステムにおいて、前記ドレッシングが、
前記組織部位に近接して配置されるように適合された組織インターフェースと、
前記組織部位を覆うように配置されるように適合されたカバーと
を備えることを特徴とするシステム。
【請求項２０】
組織部位に溶液を点滴するための機器において、
陰圧ポートと通気口と空洞とを備える本体と、
前記本体に結合されるとともに延在部と溶液入口ポートと溶液出口ポートとを有する頭部と、
前記空洞内に配置されるとともに前記空洞を第１の室と第２の室とに仕切るピストンと、
前記ピストンと前記本体との間の前記第２の室内に配置されたばねと、
前記第１の室と前記溶液出口ポートとの間の前記延在部に流体的に結合された第１の出口逆止弁であって、前記第１の室内の陰圧により閉鎖されるように構成される前記第１の出口逆止弁と、
前記通気口に配置された疎水性フィルタと、
前記疎水性フィルタと前記通気口とに結合された保持リングと、
前記第１の室に流体的に結合されるとともに、前記第１の室内の陰圧により開放されるように構成された入口逆止弁と、
前記第２の室に流体的に結合されるとともに、前記陰圧ポートに送達される陰圧により開放されるように構成された第２の出口逆止弁と
を備えることを特徴とする機器。
【請求項２１】
請求項２０に記載の機器において、
前記溶液出口ポートと前記陰圧ポートとに流体的に結合されたドレッシングと、
前記ドレッシングに流体的に結合された陰圧源であって、陰圧期および通気期のために構成される前記陰圧源と、
前記溶液入口ポートに流体的に結合された溶液源と
を更に備えることを特徴とする機器。
【請求項２２】
組織部位に溶液を点滴するための機器において、
通気口と空洞とを備える本体と、
前記本体に結合されるとともに延在部と第１の流体ポートと第２の流体ポートとを備える頭部と、
前記空洞内に配置されるとともに前記空洞を第１の室と第２の室とに仕切るピストンと、
前記ピストンと前記本体との間の前記第２の室内に配置されたばねと、
前記頭部内に一体成形された第１の流路と、
前記本体内に一体成形されるとともに前記第２の流路に流体的に結合された第２の流路と、
前記本体の長さに沿って一体成形された通路であって、前記第１の流路と前記第２の流路とに流体的に結合される前記通路と、
前記第１の室と第２の流体ポートとの間の前記延在部に流体的に結合された第１の出口逆止であって、前記第１の室内の陰圧により閉鎖されるように構成される前記第１の出口逆止弁と、
前記第１の室に流体的に結合されるとともに、前記第１の室内の陰圧により開放されるように構成された入口逆止弁と、
前記第２の室に流体的に結合されるとともに、前記第２の流路内の陰圧により開放されるように構成された第２の出口逆止弁と
を備えることを特徴とする機器。
【請求項２３】
請求項２２に記載の機器において、
前記第２の流体ポートに流体的に結合されたドレッシングと、
前記ドレッシングに流体的に結合された陰圧源であって、陰圧期および通気期のために構成される前記陰圧源と、
前記第１の流体ポートに流体的に結合された溶液源と
を更に備えることを特徴とする機器。